【事件の表示】
　特願２０１６−５６９７０２「送信機デジタルアナログ変換器（ＤＡＣ）−ベースバンドフィルタ（ＢＢＦ）共通モードインターフェース」拒絶査定不服審判事件〔平成２７年１２月　３日国際公開、ＷＯ２０１５／１８３７４０、平成２９年　６月２２日国内公表、特表２０１７−５１７２１２〕について、次のとおり審決する。
【結　論】
　本件審判の請求は、成り立たない。
【理　由】
第１　手続の経緯及び本願発明
　１　手続の経緯
　本願は，２０１５年（平成２７年）５月２２日（パリ条約による優先権主張外国庁受理２０１４年５月２９日，２０１５年１月２２日，いずれも米国）を国際出願日とする出願であって，平成３０年３月２０日付けで拒絶査定がなされ，これに対し，同年７月２４日に拒絶査定不服審判が請求され，その後，当審より同年８月２４日付けで拒絶理由が通知されたところ，同年１０月９日に意見書及び手続補正書が提出され，さらに，当審より同年１０月３１日付けで拒絶理由が通知されたところ，平成３１年２月５日に意見書及び手続補正書が提出されたものである。
　２　本願発明
　本願の請求項１に係る発明は，平成３１年２月５日付けの手続補正書における特許請求の範囲に記載された，次のとおりのものである。
　「【請求項１】
　デジタルアナログ変換器（ＤＡＣ）からの相補電流信号のペアから共通モード電流を除去するための送信機のインターフェース回路であって，
　少なくとも第１の電流信号と第２の電流信号とを備える前記相補電流信号のペアの共通モード電圧を生成するように構成された生成器ユニットと，
　差分電圧を測定し，出力するように構成された測定ユニットと，
　前記送信機の前記ＤＡＣの出力に直接結合された第１の電流除去ユニットおよび第２の電流除去ユニット，前記第１の電流除去ユニットおよび前記第２の電流除去ユニットは，前記ＤＡＣからの前記第１の電流信号および前記第２の電流信号の出力のうちのそれぞれ１つを受信するように構成され，それぞれ第１および第２のトランジスタを備え，前記ＤＡＣからの前記共通モード電流を除去するために，前記測定ユニットの前記差分電圧を用いて前記第１および第２のトランジスタのゲートを駆動する構成される，と
　を備え，
　ここにおいて，前記差分電圧は，前記生成器ユニットによって生成された前記共通モード電圧と共通モード基準電圧との間の差分に基づき，
　前記相補電流信号のペアは，前記ＤＡＣからの出力であり，ベースバンドフィルタへの入力であり，前記ベースバンドフィルタは，前記相補電流信号のペアを受信し，出力信号を出力するオペアンプを備え，前記オペアンプは，前記出力信号から生成された出力共通モード電圧と前記共通モード基準電圧との差分を測定する組込み共通モードフィードバックセンサーを備える，回路。」
第２　当審の拒絶理由通知書の概要
　１　当審が通知した平成３０年１０月３１日付けの拒絶理由のうちの理由１（明確性）の概要は，次のとおりである。
　請求項１に「前記オペアンプは，前記出力信号から生成された出力共通モード電圧と前記共通モード基準電圧との差分を測定する組込み共通モードフィードバックセンサーを備える」と記載されているが，「オペアンプ」が「組込み共通モードフィードバックセンサーを備える」とは，「オペアンプ」と「組込み共通モードフィードバックセンサー」とがどのような関係にあることを指すのか不明であるとともに，「組込み共通モードフィードバックセンサー」との発明特定事項の「フィードバック」が，どのような意味のフィードバックであるのか不明である。
　そして，それらの点は，本願明細書等（例えば，段落【００１８】，【００２３】の記載や図３Ａ，図４）を参酌しても明らかでない。
　よって，請求項１に係る発明は明確でない。
　２　また，同じく理由２（実施可能要件・委任省令要件）の概要は，次のとおりである。
　請求項１の「前記オペアンプは，前記出力信号から生成された出力共通モード電圧と前記共通モード基準電圧との差分を測定する組込み共通モードフィードバックセンサーを備える」との記載に関し，発明の詳細な説明において，その構成を当業者が実施することができる程度に記載されていない。
　段落【００１８】の記載が，仮に，オペアンプ３２２の出力信号に，組込み共通モードフィードバックセンサー３２４で測定される出力共通モード電圧と共通モード基準電圧（Ｖcm_ref）との間の差分の測定結果を反映させるという趣旨ならば，それをどのようにして実現するのか，具体的に説明されておらず不明であり，この点は，図３Ａを参照しても明らかとならない。この点は，段落【００２３】の記載及び図４についても同様に不明である。
　また，発明の詳細な説明において，上記構成を含む請求項１に係る発明の技術上の意義を理解するために必要な事項が記載されていない。
　段落【００１８】の記載が上記の趣旨で記載されているとした場合に，オペアンプ３２２の出力信号に，組込み共通モードフィードバックセンサー３２４で測定される出力共通モード電圧と共通モード基準電圧（Ｖcm_ref）との間の差分の測定結果を反映させることの技術上の意義が不明であり，この点は，段落【００２３】の記載及び図４についても同様に不明である。
　段落【００１８】の記載が，仮に，オペアンプ３２２の中に，組込み共通モードフィードバックセンサー３２４が存在するという趣旨で記載されているにすぎないならば，後者の測定結果は前者で何ら利用されないことになるから，オペアンプ３２２の中に組込み共通モードフィードバックセンサー３２４が存在することの技術上の意義は極めて不明である。
　よって，この出願の発明の詳細な説明は，当業者が請求項１に係る発明を実施することができる程度に明確かつ十分に記載されたものでない（実施可能要件）。
　また，この出願の発明の詳細な説明は，請求項１に係る発明について，経済産業省令で定めるところにより記載されたものでない（委任省令要件）。
第３　当審の判断
　１　本願の発明の詳細な説明の記載事項
　本願の発明の詳細な説明には，以下の記載がある。
（１）「【００１０】
　[0015]デジタルアナログ変換器（ＤＡＣ）の相補出力電流の範囲が可変であるので，出力電流は，送信機信号経路の利得を制御するために使用され得る。上記で説明したように，相補ＤＡＣ電流（Ｉ＋／Ｉ−またはＱ＋／Ｑ−）は共通モード電流と差動モード電流とを含み，これらは以下のように表され得る。
【００１１】
　　　　　Ｉ+＝Ｉcm＋Ｉdm　　　　　　（１）
　　　　　Ｉ-＝Ｉcm−Ｉdm　　　　　　（２）
　　　　　Ｑ+＝Ｑcm＋Ｑdm　　　　　　（３）
　　　　　Ｑ-＝Ｑcm−Ｑdm　　　　　　（４）
　[0016]さらに，差動モード電流は，これらの電流が変調情報を搬送するので，ベースバンドフィルタ（ＢＢＦ）に流れ込み，有用な信号電圧を生成する。しかしながら，共通モード電流がＢＢＦフィードバック抵抗器に流れ込むことにより，入力共通モード電圧が出力共通モード電圧とは異なることがある。したがって，ＤＡＣ共通モード電流が，ＢＢＦに流れ込み，ＢＢＦ入力において高い電圧を潜在的に引き起こすのを防ぐことが望ましい。」
（２）「【００１８】
　[0023]図３Ａは，本開示の一実施形態による，ＤＡＣ３３０から相補ＤＡＣ電流を受信するベースバンドフィルタ（ＢＢＦ）３２０に結合された共通モード電流除去ユニット３１０の詳細な概略図である。図３Ａの図示の実施形態では，図は，ＤＡＣ３３０と，ＢＢＦ３２０と，共通モード電流除去ユニット３１０とを含む。動作中，ＤＡＣ３３０は相補電流（たとえば，Ｉ+およびＩ-）を供給し，それらの各々は共通モード電流（Ｉcm）と差動モード電流（Ｉdm）とを含む（上記に示した式（１）および式（２）参照）。ＢＢＦ３２０は，オペアンプ３２２と，フィードバック抵抗器３２６，３２８と，フィードバックキャパシタ３６０，３６２とを含む。オペアンプ３２２は，（各々が値Ｒcmを有する共通モード抵抗器３５０，３５２によって与えられた）出力共通モード電圧と共通モード基準電圧（Ｖcm_ref）との間の差分を測定する組込み共通モードフィードバックセンサー３２４を含む。
【００１９】
　[0024]図３Ａの図示の実施形態では，共通モード電流除去ユニット３１０は，相補ＤＡＣ電流（たとえば，Ｉ+およびＩ-）の各々から共通モード電流を除去するように構成される。共通モード電流除去ユニット３１０は，生成器ユニット３４０と，電流除去ユニット３１４，３１６のペアと，演算増幅器（オペアンプ）３１２で構成された測定ユニットとを含む。図３Ａに示されている一実施形態では，生成器ユニット３４０は，相補電流信号のペアの共通モード電圧を生成するように構成された抵抗器３４２，３４４のペアを含む。動作中，オペアンプ３１２は，（各々が値Ｒcmを有する）共通モード抵抗器３４２，３４４によってオペアンプ３１２の正入力端子において与えられた入力共通モード電圧（Ｖcm_input）とオペアンプ３１２の負入力端子において与えられた共通モード基準電圧（Ｖcm_ref）との間の差分を測定する。オペアンプ３１２は，次いで，それぞれ，相補ＤＡＣ電流Ｉ+およびＩ-の各々から共通モード電流（Ｉcm）を除去またはシンクするために，電流除去ユニット３１４，３１６のペアを駆動する。
【００２０】
　[0025]一実施形態では，共通モード電流除去ユニット３１０は，相補電流信号のペアから共通モード電流を除去するための回路として一般化され得，それは，生成器ユニット３４０と，第１の電流除去ユニット３１４と第２の電流除去ユニット３１６とのペアと，測定ユニット３１２とを含む。生成器ユニット３４０は，フィルタ（たとえばＢＢＦ３２０）に入力される（第１の（Ｉ+）電流信号と第２の（Ｉ-）電流信号とを含む）相補電流信号のペアの共通モード電圧を生成するように構成される。測定ユニット３１２は，生成器ユニット３４０によって生成された共通モード電圧（Ｖcm_input）と共通モード基準電圧（Ｖcm_ref）との間の差分信号を測定し，出力するように構成される。測定ユニット３１２の出力における差分信号は，第１の電流信号（Ｉ+）から共通モード電流を除去するために第１の電流除去ユニット３１４を駆動し，第２の電流信号（Ｉ-）から共通モード電流を除去するために第２の電流除去ユニット３１６を駆動する。」
（３）「【００２３】
　[0028]図４は，本開示の別の実施形態による，ＤＡＣ４３０から相補ＤＡＣ電流を受信するベースバンドフィルタ（ＢＢＦ）４２０に結合された共通モード電流除去ユニット４１０の詳細な概略図である。図４の図示の実施形態では，図は，ＤＡＣ４３０と，ＢＢＦ４２０と，共通モード電流除去ユニット４１０とを含む。ＤＡＣ４３０は相補電流（たとえば，Ｉ+およびＩ-）を供給し，それらの各々は共通モード電流と差動モード電流とを含む（式（１）および式（２）参照）。ＢＢＦ４２０は，オペアンプ４２２と，フィードバック抵抗器４２６，４２８と，フィードバックキャパシタ４６０，４６２とを含む。オペアンプ４２２は，（各々が値Ｒcmを有する共通モード抵抗器４５０，４５２によって与えられた）出力共通モード電圧と共通モード基準電圧（Ｖcm_ref）との間の差分を測定する組込み共通モードフィードバックセンサー４２４を含む。
【００２４】
　[0029]図４の図示の実施形態では，共通モード電流除去ユニット４１０は，相補ＤＡＣ電流（たとえば，Ｉ+およびＩ-）の各々から共通モード電流を除去するように構成される。共通モード電流除去ユニット４１０では，（各々が同じ値Ｒcmを有する）２つの抵抗器２１２および２１４は，それぞれ，相補ＤＡＣ電流Ｉ+およびＩ-の各々から共通モード電流（Ｉcm）を除去またはシンクするように構成される。したがって，抵抗器４１２は，ＤＡＣ電流Ｉ+から共通モード電流Ｉcmをシンクするように構成され，抵抗器４１４は，ＤＡＣ電流Ｉ-から共通モード電流Ｉcmをシンクするように構成される。抵抗器４１２，４１４の値は，ＤＡＣ電流から所望の量の共通モード電流を引き出すために，共通モード基準電圧に基づいて選択される。」
（４）図３Ａ
（５）図４
　２　判断
（１）特許法第３６条第６項第２号（明確性）について
　ア　請求項１に，「ベースバンドフィルタ」が備える「オペアンプ」に関して「前記オペアンプは，前記出力信号から生成された出力共通モード電圧と前記共通モード基準電圧との差分を測定する組込み共通モードフィードバックセンサーを備える」と記載されている。
　しかしながら，「オペアンプ」が「組込み共通モードフィードバックセンサーを備える」とは，「オペアンプ」と「組込み共通モードフィードバックセンサー」とがどのような関係にあることを指すのか不明であり，「オペアンプ」が「組込み共通モードフィードバックセンサー」が測定した差分を演算する等によって後者の測定結果が前者の出力信号に反映されるのか，あるいは，「オペアンプ」でそのような反映がなされるのではなく，単に「組込み共通モードフィードバックセンサー」として「差分を測定する」部分が存在するのみであるのか，といった点は，請求項１の記載からは明らかでない。
　イ　また，請求項１には，オペアンプの出力信号から生成された出力共通モード電圧に基づいて差分を測定した結果が，オペアンプの出力信号に反映されることを特定する記載がないため，「組込み共通モードフィードバックセンサー」との発明特定事項の「フィードバック」が，どのような意味のフィードバックであるものとして記載されているのかという点も，不明である。
　ウ　そして，これらの点は，本願明細書等を参酌しても明らかでない。具体的には，以下のとおりである。
　まず，上記１（１）の「共通モード電流がＢＢＦフィードバック抵抗器に流れ込むことにより，入力共通モード電圧が出力共通モード電圧とは異なることがある。したがって，ＤＡＣ共通モード電流が，ＢＢＦに流れ込み，ＢＢＦ入力において高い電圧を潜在的に引き起こすのを防ぐことが望ましい。」（段落【００１１】）という記載は，ＤＡＣ共通モード電流がＢＢＦに流れ込むことを防ぐという，発明の解決しようとする課題を記載したものと解される。しかしながら，この記載及び上記１（２）の「図３Ａの図示の実施形態では，共通モード電流除去ユニット３１０は，相補ＤＡＣ電流（たとえば，Ｉ+およびＩ-）の各々から共通モード電流を除去するように構成される。」（段落【００１９】）等の記載によれば，「共通モード電流除去ユニット３１０」が上記課題の解決手段であることが理解できるものの，「組込み共通モードフィードバックセンサー」と上記課題との関係は不明であり，上記１（１）は「組込み共通モードフィードバックセンサー」についての記載であるとはいえない。
　次に，上記１（２）の「オペアンプ３２２は，（各々が値Ｒcmを有する共通モード抵抗器３５０，３５２によって与えられた）出力共通モード電圧と共通モード基準電圧（Ｖcm_ref）との間の差分を測定する組込み共通モードフィードバックセンサー３２４を含む。」（段落【００１８】）との記載からは，オペアンプ３２２が組込み共通モードフィードバックセンサー３２４を含むということが理解できるにすぎず，組込み共通モードフィードバックセンサー３２４で測定された差分がオペアンプ３２２で演算されるのか否か等については記載されていない。
　また，その結果，上記差分がオペアンプ３２２の出力に反映されるのか否かが特定できないところ，仮に反映されないとすれば，フィードバックループが構成されていないことからフィードバックが行われるとはいえないため，「共通モードフィードバックセンサー３２４」の「フィードバック」が，どのような意味のフィードバックであるのかを把握することはできない。
　一方，図３Ａ（上記１（４），以下同様。）から，オペアンプ３２２の中に共通モードフィードバックセンサー３２４のブロックが存在し，当該ブロックに，抵抗器３５０，３５２の出力及びＶcm_refが入力されることが読み取れるが，当該ブロックの出力が示されておらず，当該出力がオペアンプ３２２の出力に反映されるのか否かを読み取ることはできない。
　したがって，本願明細書等を参酌しても，請求項１の上記記載における「オペアンプ」と「組込み共通モードフィードバックセンサー」との関係や，「組込み共通モードフィードバックセンサー」との発明特定事項の「フィードバック」がどのような意味のフィードバックであるのかが，明らかになるものではない。
　そして，この点は，上記１（３）の「組込み共通モードフィードバックセンサー４２４」についての記載（段落【００２３】）及び図４（上記１（５），以下同様。）についても，同様である。
　エ　以上のとおり，請求項１の「前記オペアンプは，前記出力信号から生成された出力共通モード電圧と前記共通モード基準電圧との差分を測定する組込み共通モードフィードバックセンサーを備える」という記載は技術的に不明であって，請求項１に係る発明は明確でないから，この出願は，特許請求の範囲の記載が特許法第３６条第６項第２号に規定する要件を満たしていない。
（２）特許法第３６条第４項第１号（実施可能要件・委任省令要件）について
　ア　請求項１の「前記オペアンプは，前記出力信号から生成された出力共通モード電圧と前記共通モード基準電圧との差分を測定する組込み共通モードフィードバックセンサーを備える」との記載に関し，発明の詳細な説明において，その構成を当業者が実施することができる程度に記載されていない。
　上記１（１）の記載は，上記（１）ウのとおり，「組込み共通モードフィードバックセンサー」についての記載であるとはいえない。
　また，上記１（２）の「オペアンプ３２２は，（各々が値Ｒcmを有する共通モード抵抗器３５０，３５２によって与えられた）出力共通モード電圧と共通モード基準電圧（Ｖcm_ref）との間の差分を測定する組込み共通モードフィードバックセンサー３２４を含む。」（段落【００１８】）という記載が，仮に，オペアンプ３２２の出力信号に，組込み共通モードフィードバックセンサー３２４で測定される出力共通モード電圧と共通モード基準電圧（Ｖcm_ref）との間の差分の測定結果を反映させるという趣旨ならば，組込み共通モードフィードバックセンサー３２４で測定された差分をオペアンプ３２２でどのように演算するのか等，その反映をどのようにして実現するのかが具体的に説明されておらず不明であり，この点は，図３Ａを参照しても明らかとはならない。
　そして，この点は，上記１（３）の「組込み共通モードフィードバックセンサー４２４」についての記載（段落【００２３】）及び図４についても同様に不明である。
　イ　発明の詳細な説明において，「前記オペアンプは，前記出力信号から生成された出力共通モード電圧と前記共通モード基準電圧との差分を測定する組込み共通モードフィードバックセンサーを備える」という構成を含む請求項１に係る発明の技術上の意義を理解するために必要な事項が，記載されていない。
　上記（１）ウのとおり，「組込み共通モードフィードバックセンサー」と上記１（１）に記載されている発明の解決しようとする課題との関係は不明であるから，上記１（１）は，上記構成の技術上の意義を理解するために必要な事項であるとはいえない。
　また，上記１（２）の段落【００１８】の記載が，上記アで述べた趣旨で記載されているとした場合に，オペアンプ３２２の出力信号に，組込み共通モードフィードバックセンサー３２４で測定される出力共通モード電圧と共通モード基準電圧（Ｖcm_ref）との間の差分の測定結果を反映させることの技術上の意義（どのような課題を解決するのか，どのような作用効果が得られるのか等）については，発明の詳細な説明において，説明されていない。
　一方，上記１（２）の段落【００１８】の記載が，仮に，オペアンプ３２２の中に，組込み共通モードフィードバックセンサー３２４が存在するという趣旨で記載されているにすぎないならば，後者による差分の測定結果は前者で何ら利用されないことになるから，オペアンプ３２２の中に組込み共通モードフィードバックセンサー３２４が存在することの技術上の意義は極めて不明である。
　そして，これらの点は，上記１（３）の「組込み共通モードフィードバックセンサー４２４」（段落【００２３】）についての記載についても同様である。
　ウ　発明の詳細な説明の記載は，上記アのとおり，当業者が請求項１に係る発明の実施をすることができる程度に明確かつ十分に記載したものなく，また，上記イのとおり，請求項１に係る発明の技術上の意義を理解するために必要な事項が記載されていないから，この出願は，発明の詳細な説明の記載が，特許法第３６条第４項第１号に規定する要件を満たしていない。
（３）請求人の主張について
　ア　特許法第３６条第６項第２号（明確性）について
　請求人は，平成３１年２月５日付けの意見書において，本願明細書の段落［００１０］−［００１１］等の記載から，本願明細書には，ＤＡＣ共通モード電流がＢＢＦに流れ込むことを防ぐ必要があることが開示されており，そして，本願請求項１等に開示される組込み共通モードフィードバックセンサーは，出力共通モード電圧と共通モード基準電圧との差分を測定することが開示されていることから，出力共通モード電圧と共通モード基準電圧との差分を測定した結果，特定の値（例えば，ＤＡＣ共通モード電流がＢＢＦに流れるような状態）であれば，その値に基づいてＢＢＦの入力信号または出力信号に働きかける（例えば，ＤＡＣ共通モード電流がＢＢＦに流れ込まないようにする）ことが開示されていることは明らかであり，したがって，本願請求項１等に開示されるベースバンドフィルタと組込み共通モードフィードバックセンサーとの関係は明確であり，さらに，本願請求項１には，出力信号から生成された出力共通モード電圧を組込み共通モードフィードバックセンサーが受け取ることが開示されており，この出力共通モード電圧がフィードバックを意味しているから，本願請求項１に記載されたフィードバックは明確である旨，主張する。
　しかしながら，上記（１）ウのとおり，段落【００１１】等の記載からは，「共通モード電流除去ユニット３１０」が，ＤＡＣ共通モード電流がＢＢＦに流れ込むことを防ぐという，発明の解決しようとする課題の解決手段であることが理解できるものの，当該記載に基づいて，請求項１の記載が，出力共通モード電圧と共通モード基準電圧との差分の測定値に基づいてＢＢＦの入力信号または出力信号に働きかけることを意味することが理解できるとはいえない。
　また，請求項１の記載から，出力共通モード電圧を組込み共通モードフィードバックセンサーが受け取ることが理解できるとしても，上記（１）イのとおり，請求項１には，オペアンプの出力信号から生成された出力共通モード電圧に基づいて差分を測定した結果が，オペアンプの出力信号に反映されることを特定する記載がないから，請求項１の記載では，「フィードバック」がどのような意味のフィードバックであるのかは不明であり，また，上記（１）ウのとおり，本願明細書等を参酌しても，「組込み共通モードフィードバックセンサー」の「フィードバック」が，どのような意味のフィードバックであるのかが明らかになるものではない。
　よって，請求人の上記主張は採用できない。
　イ　特許法第３６条第４項第１号（実施可能要件・委任省令要件）について
　請求人は，平成３１年２月５日付けの意見書において，本願明細書に記載された「組込み共通モードフィードバックセンサー」は，センサーであるため，測定結果に基づいて何らかの信号を出力することは技術常識であり，本願明細書の段落［００１０］−［００１１］の開示から，上記の何らかの信号が，ＤＡＣ共通モード電流がＢＢＦに流れ込まないように動作するのに寄与することは明らかであるから，組込み共通モードフィードバックセンサの技術上の意義は明らかである旨，主張する。
　しかしながら，上記（１）ウのとおり，「共通モード電流除去ユニット３１０」が段落【００１１】に記載されている課題の解決手段であることが理解できることから，「共通モード電流除去ユニット３１０」がＤＡＣ共通モード電流がＢＢＦに流れ込まないように動作するのに寄与するとはいえるものの，「組込み共通モードフィードバックセンサー」がこれに寄与するとはいえない。
　よって，請求人の上記主張は採用できない。
第４　むすび
　以上のとおり，本願は，特許請求の範囲の記載が特許法第３６条第６項第２号に規定する要件を満たしておらず，発明の詳細な説明の記載が特許法第３６条第４項第１号に規定する要件を満たしていないから，拒絶すべきものである。
　よって，結論のとおり審決する。